(57)【要約】      （修正有）【課題】本発明は、主として家庭用給湯配管の、温度低下を防ぎ蛇口を開いた時、即お湯の出る即湯方式のための考案であり、給水配管の凍結防止にも、利用できる。【解決手段】ヘッダー部より枝分かれした各分岐管の中に、内管を通し、内管内の停滞水を、ヘッダー部に取り付けたベンチュリー管にて、引き戻す。そのための動力は原則必要とせず、枝管のいずれか一本が開けられたときのヘッダー内の流れで、他の枝管内の、停滞水を無くすことができる。【選択図】図１
2017201229.tif 000002
【特許請求の範囲】
【請求項１】
取り付け分岐管に、取り付け優先順位の無い、環状水路を持つ、流体分岐装置。
【請求項２】
環状に加工したヘッダー主水路に、ポンプ水流無しで、回転水流を作る、流体分岐装置。
【請求項３】
環状に加工したヘッダー主水路に取り付けた分岐管に、内管を通し、その先端に負圧を発生させる装置。
【請求項４】
給湯ヘッダーと、給水ヘッダーを隣接させ、給湯ヘッダー自体の持つ熱により、給水回路を凍結から守る装置
【発明の詳細な説明】
【技術分野】
【０００１】  本発明は、ヘッダーにより配分された、給湯又は給水配管内の、温度をすべて一定に保ち、給湯においては、即湯方式、給水においては、凍結防止となる発明である。
【背景技術】
【０００２】  最近の家庭用給湯給水配管は、金属製、継手方式から、樹脂管製、ヘッダー方式に変わりつつあるが、これは、管末器具までの距離が、比較的長くなり、給湯では、望む温度を得るのに、時間と、捨て水の無駄があった。
【発明の概要】
【０００３】ヘッダーにより配分された枝管は、枝管の長短にかかわらず、先端器具が開栓されない限り停滞し、常温化する。
本発明は、その枝管内の停滞水を、ヘッダーに戻し、ヘッダー内の、設定温度の流体と、入れ替える考案である。
【発明が解決しようとする課題】
【０００４】  温水蛇口を開けても、すぐに湯が出ないのが、ヘッダー方式の宿命であり、又、冬季、凍結した場合、解凍が困難なのも、樹脂管ヘッダー方式の、難点である。【０００５】特に寒冷地の水回りの管理は、無人の別荘や、高齢者の家庭、日中、留守の家が多くなり、管理が行き届かない事が多く、簡単な給水、給湯方式が望まれていた。【０００６】又、ヘッダー方式は、不凍栓の使用が難しく、電熱式凍結防止帯の、使用も大量になり、壁の中、天井裏に、配管設置するため、火災の心配や、保守交換が困難であった。
【課題を解決するための手段】
【０００７】本発明の給湯ヘッダーと、給水ヘッダーは、構造作動とも、同一である。【０００８】以下給湯ヘッダーの作動と、効果を、説明する。【０００９】通常のヘッダー方式は、筒状であるが、本発明は、作動部を円形に、考案したものである。【００１０】最大使用水量を、流す事のできる断面積をもつ、環状水路（１）を作り、その環状水路（１）を、取り入れ口とする、枝管取り付け口（２）を、必要数取り付ける。【００１１】枝管取り付け口（２）の水路側開口部に、内管取り付けパイプ（３）を固定し、内管（４）を差し込む。【００１２】内管（４）は枝管（５）の中を通り末端器具の直前までさしこむ。【００１３】内管（４）が差し込まれた枝管（５）を、枝管取り付け口（２）に、差し込む。【００１４】以上の作業を、取り付けた枝管（５）ごとに行なう。【００１５】環状水路（１）には、通水溜まり（６）から環状水路（１）に向かい一定方向に角度を付けた通水路（７）を付ける。【００１６】通水路（７）の数、通水路（７）の太さは枝管（５）の数、通水量で、本数、太さを、設定加工する。【００１７】環状水路（１）には、他に、循環ポンプ（１０）の吸い込み口（７）と放水口（８）を付ける。【００１８】本発明の枝管（５）の数は、一本から効果を発揮し、環状水路（１）の、円周を大きくすれば、何本でも可能である。【００１９】説明上、通常家庭配管の、平均本数４本として、説明する。【００２０】仮に、台所蛇口が開かれた場合、台所専用、枝管取り付け口（２）に向かい、通水溜まり（６）から通水路（７）をへて湯水が流れ込むが、通水路（７）の一本の通水量が抑えられており、他の通水路（７）から不足分が補充される。【００２１】通水路（７）には、角度があり、当図面では、反時計回りの流れが、環状水路（１）におきる。
この環状水路（１）の、反時計回りの湯水の流れは、枝管取り付け口（２）に取り付けた内管取り付けパイプ（３）の先端に、ベンチュリー効果により負圧を発生させ、その圧力差により枝管内の、停滞水をいれかえる。【００２２】この作動はどの枝管（５）の末端器具が開かれても同じ作用をし、又、末端器具が複数開栓し、水量が多くなれば、環状水路（１）流速が早まり、加速度的に効果を発揮する。【００２３】この一連の作動により、図示４本の、枝管の内１本でも、末端器具が開かれ、一定量、一定時間、環状水路（１）に、水の流れが起きれば、装置全体の流体温度を、一定化することができる。【００２４】ゆえに、各枝管の停滞水は無くなり、枝管の急激な温度低下を防ぎ、凍結を防止する。【００２５】次に、４本の枝管、すべての流れが止まった場合の、作動である。【００２６】この場合、時間の経過とともに、外気温に、同化し、外気温が氷点下の時間が長く続けば、装置全体が凍結する。【００２７】装置全体の凍結防止策について、説明する。【００２８】環状水路（１）の下流、図示の、反時計回り枝管取り付け口（２）を過ぎたところ、に循環ポンプ（１０）の吸い込み口（８）つけ、環状水路（１）の停滞水を取り入れ、放水口（９）に、圧送放出する。【００２９】この循環ポンプ（１０）による，環状水路（１）の環状水の流れは、先述、ベンチュリー効果により全部の枝管内の流体を動かし、凍結を防ぐ。【００３０】さらなる外気温の低下による、装置全体の凍結防ぐために、ヘッダー本体に埋め込まれた電熱ヒーター（１１）を作動させる、【００３１】電熱ヒーター（１１）の、ＯＮ，ＯＦ，は、ヘッダー本体に埋まれた、センサーの指令により作動する。
センサーの温度設定次第で、ブロック化した質量のあるヘッダー本体は、それ自体一つの熱源であり少量の湯、例として、洗面所当の少量使用は、賄うことができる。【００３２】本発明の給湯、給水ヘッダーは同一の物であり、作動も同一である。
ヘッダー本体の、背板（１３）を、間隔を置き平行、背中合わせになるよう、固定設置し、運転使用すると給水装置の、凍結防止になる。【００３４】冬季は、平行に設置された、給水、給湯ヘッダーの、背板（１３）の間に、アルミブロック等の、冬季差し込み熱良導体（１４）を差し込み、給湯側の熱の、一部を伝え、給水装置全体の凍結を防ぎ、凍結防止帯の使用を無くす。【００３５】この、給湯ヘッダー側からの伝熱と、給水ヘッダー本体に埋めこまれたセンサーの指令により作動するポンプで、給水装置の流体が、流動化し二重の凍結防止装置となる。【００３６】給湯ヘッダー、給水ヘッダー各に付けられた、循環ポンプ（１０）の出力は、隣接した、環状水路に、回転する流れを作るだけの、小さな出力でよく、又、その運転も、間欠運転でよい。
【発明の効果】
【００３６】  （イ）給水ヘッダー、給湯ヘッダーとも、同じ物で、生産性がよい。
（ロ）給湯蛇口どれを開栓しても、即、設定温度の湯が使える，即湯方式である。
（ハ）不凍水栓を、使用しないため、開栓、閉栓の、煩わしさがない。
（ニ）電熱凍結防止帯を使用しないため、火災の心配が無く、経済的である。
（ホ）停電が無い限り、熱源が失われても、装置全体の流体が動き、凍結を防ぐ。
【図面の簡単な説明】
【００３７】
【図１】給湯ヘッダー、給水ヘッダーの、作動断面概念図である。
【図２】給湯ヘッダー、給水ヘッダーの、作動平面概念図である。
【図３】給湯ヘッダー、給水ヘッダーの、隣接背中合わせ、施工概念図の、一例である。
【発明を実施するための形態】
【実施例１】
【００３８】ガス湯沸器又は、石油ボイラー等から供給された、一定圧、一定温度の温水は、取り入れ口（１２）より入り、通水溜まり（６）を満たし、通水路（７）通り、環状水路（１）枝管取り付け口（２）枝管（５）と、進み末端器具に、到達する。【００３９】当然各枝管の、先端に到達するまでにすべて冷水となるが、この時冷水でも捨て水とならない、洗濯槽、又は、流し台等で、使用することにより、他の枝管の冷水を抜き温水と入れ替え、給湯装置全体の水温を平均化させ、無駄な捨て水をなくす事ができる。【００４０】一端、装置全体が温水化すると、当発明の効果により、他のどの末端器具が開かれても、装置全体の流体が流動し、平均化、蛇口を開けてもすぐお湯が出ない、等の弊害をなくす事ができる。【００４１】給水ヘッダーとして使用すると、当発明品の、効果が、最大に発揮できる。
例として、冬季、外流しの水道と、天井配管の、２Ｆ室内洗面台との配管内温度差は、２０度以上になり、夜間通常使用しない外流しの枝管は、凍結寸前になるが、この時、水洗トイレで洗浄水として４〜５リッターの水が使用されると、外流し用水道の、蛇口付近にある凍結寸前の、冷水を入れ替える事ができる。【００４２】どの枝管の末端器具も、開かれない場合は、給水側装置の温度センサーが作動し給水側ポンプ（１０）の運転を促し、環状水路（１）に流れをつくり、ベンチュリー効果により、内管に、負圧を作りすべての枝管の停滞水を環状水路（１）に戻す。【００４３】このように枝管全体の、温度の平均化は、給湯配管と、給水配管の並列施工により、なお一層、給水配管を、凍結からまもる。
【符号の説明】
【００４４】１  環状水路
２  枝管取り付け口
３  内管取り付けパイプ
４  内管
５  枝管
６  通水溜まり
７  通水路
８  吸い込み口
９  放水口
１０  循環ポンプ
１１  電熱ヒーター
１２  取り入れ口
１３  背板
１４  冬季差し込み  熱良導体
【図１】
2017201229.tif 000003
【図２】
2017201229.tif 000004
【図３】
2017201229.tif 000005